(57)【要約】【課題】モノクロ原稿を１６色程度にカラー化して表示装置に出力することが可能となる原稿撮像装置を提供する。【解決手段】  原稿読取手段（リニアイメージセンサ２）で読み取った原稿の画像情報を、表示装置１３に出力可能とした原稿撮像装置１において、前記原稿読取手段は、読み取ったモノクロ原稿の画像情報を色データに変換する色データ変換手段（濃度データ変換回路１６）を有し、該色データ変換手段は前記モノクロ原稿の画像情報に関する濃度データに基づいて、前記モノクロ原稿の画像情報をカラー化するように構成する。これらにより、例えば、一度モノクロ原稿に変換されたカラー原稿を、再度カラー表示することも容易となる。【選択図】            図１
2005269316.tif 000002
【特許請求の範囲】
【請求項１】
原稿読取手段で読み取った原稿の画像情報を、表示装置に出力可能とした原稿撮像装置において、
前記原稿読取手段は、読み取ったモノクロ原稿の画像情報を色データに変換する色データ変換手段を有し、該色データ変換手段は前記モノクロ原稿の画像情報に関する濃度データに基づいて、前記モノクロ原稿の画像情報をカラー化することを特徴とする原稿撮像装置。
【請求項２】
前記原稿読取手段を構成するリニアイメージセンサと、
前記リニアイメージセンサからの前記モノクロ原稿の画像情報を、ディジタル画像の濃度データに変換するＡ／Ｄコンバータと、
前記Ａ／Ｄコンバータからの前記濃度データを記憶する第一のメモリと、
前記第一のメモリに記憶された濃度データを、色データに変換する前記色データ変換手段を構成する濃度データ変換回路と、
前記濃度データ変換回路によって変換された色データを記憶する第二のメモリと、
前記第二のメモリに記憶された前記色データによる画像データを、所定の表示装置に対して出力する出力手段と、
を有することを特徴とする請求項１に記載の原稿撮像装置。
【請求項３】
前記色データ変換手段は、変換する色データを前記モノクロ原稿の濃度データに対して予め設定できることを特徴とする請求項１または請求項２に記載の原稿撮像装置。
【請求項４】
前記色データ変換手段が、デュアルポートＲＡＭであることを特徴とする請求項１〜３のいずれか１項に記載の原稿撮像装置。
【請求項５】
前記色データ変換手段が、ソフトウェアであることを特徴とする請求項１〜３のいずれか１項に記載の原稿撮像装置。
【発明の詳細な説明】
【技術分野】
【０００１】
本発明は、パソコンを介さずに読み取った画像をプロジェクタ等の表示装置に出力することが可能な原稿撮像装置に関するものである。
【背景技術】
【０００２】
最近においては、プレゼンテーションを行うに際して、パソコンの普及とともに液晶プロジェクタ等の表示装置にパソコンを組合せて用いることが一般的であるが、その場合でも補助資料等の印刷物につきパソコンを介さずに読み取った画像をプロジェクタ等の表示装置に出力することが必要となることがある。このような必要性から、従来においては、例えば特許文献１に示されるような読み取った原稿の画像情報を、パソコンを介さずに表示装置に表示する原稿撮像装置が提案されている。この装置はリニアイメージセンサで読み取った原稿の画像情報を、デジタル情報に変換して表示装置に出力するように構成されている。
【特許文献１】特開２００１−１８６３０２号公報
【発明の開示】
【発明が解決しようとする課題】
【０００３】
ところで、プレゼンテーション等に際して、そこでは表示される文字等については、自然画のようにフルカラー（１６００万色）は必要とされず、文字等を強調したり、見易さを求めるだけであるから、いわゆるビジネスカラーと呼ばれる１６色程度有れば十分である。
しかしながら、前記特許文献１に示すような従来例における原稿撮像装置では、例えばモノクロ原稿の場合には、読取ったモノクロ原稿をモノクロでしか表示することができないものであった。
【０００４】
そこで、本発明は、上記課題を解決し、モノクロ原稿を１６色程度にカラー化して表示装置に出力することが可能となる原稿撮像装置を提供することを目的とするものである。
【課題を解決するための手段】
【０００５】
本発明は、以下のように構成した原稿撮像装置を提供するものである。
すなわち、本発明の原稿撮像装置は、原稿読取手段で読み取った原稿の画像情報を、表示装置に出力可能とした原稿撮像装置において、前記原稿読取手段は、読み取ったモノクロ原稿の画像情報を色データに変換する色データ変換手段を有し、該色データ変換手段は前記モノクロ原稿の画像情報に関する濃度データに基づいて、前記モノクロ原稿の画像情報をカラー化するように構成したものである。
【発明の効果】
【０００６】
本発明によれば、モノクロ原稿を１６色程度にカラー化して表示装置に出力することが可能となる原稿撮像装置を実現することができる。また、例えば、一度モノクロ原稿に変換されたカラー原稿を、再度カラー表示することも容易となる。
【発明を実施するための最良の形態】
【０００７】
本発明を実施するための最良の形態を、以下の実施例により説明する。
【実施例】
【０００８】
図１に示す本発明の実施例における原稿撮像装置のブロック図は、上記した本発明の原稿撮像装置の構成を適用したものである。本実施例においては、上記構成を適用するに際して、前記原稿読取手段を構成するリニアイメージセンサと、前記リニアイメージセンサからの前記モノクロ原稿の画像情報を、ディジタル画像の濃度データに変換するＡ／Ｄコンバータと、前記Ａ／Ｄコンバータからの前記濃度データを記憶する第一のメモリと、前記第一のメモリに記憶された濃度データを、色データに変換する前記色データ変換手段を構成する濃度データ変換回路と、前記濃度データ変換回路によって変換された色データを記憶する第二のメモリと、前記第二のメモリに記憶された前記色データによる画像データを、所定の表示装置に対して出力する出力手段と、を有する構成とすることができる。
また、前記色データ変換手段は、変換する色データを前記モノクロ原稿の濃度データに対して予め設定するように構成することができる。
【０００９】
つぎに、これらについて、図１のブロック図を用いて具体的に説明する。
図１において、１は本実施例の原稿撮像装置を示している。２はレンズ及び原色光源（Ｒ，Ｇ，Ｂ）一体型のリニアイメージセンサ、３は原稿位置検出器、４は副走査駆動機構と原稿給送機構を兼ねた原稿駆動機構である。
５はＡ／Ｄコンバータであり、これによりリニアイメージセンサ２からのモノクロ原稿の画像情報を、ディジタル画像の濃度データに変換する。
６はリニアイメージセンサ２で読み込みＡ／Ｄコンバータ５でのディジタルデータに変換した原稿情報を後述する表示メモリ８を介して表示装置に表示する前に一時記憶するための第１のバッファメモリである。７は濃度データを色データに変換した後の画像データを格納する第２のバッファメモリ、８は表示メモリ、９は表示メモリ８に書き込まれたデータを逐次ビデオ信号に変換して出力するビデオ信号発生器である。
【００１０】
１０は表示装置情報読み出し器、１１は装置全体の動作を制御するＣＰＵ、１２はＣＰＵ１１が使用する制御プログラムや制御データを格納するＲＯＭ、１３は液晶プロジェクタなどの表示装置である。
１４は本装置で読み取る原稿、１５は原稿を搬送する為のモータ駆動回路、１６は、第１のバッファメモリ６の濃度データとして表された画像データを色データに変換する濃度データ変換回路であり、前記濃度データを色データに対応させる記憶手段も併せ持つ。
【００１１】
図２は、原稿を読取り、表示するまでの流れを表すフローチャ−トである。
カラー原稿を印刷する場合、グレースケール印刷のように濃度諧調データに置き換えモノクロ印刷ができる。このようなカラー原稿をモノクロ印刷するに際しては、もともとプリンタやパソコンのドライバ等で対応できるため、使用者が読取り原稿に対して特に何かをする必要はない。
【００１２】
ＣＰＵ１１は、モータ駆動回路１５を制御し、原稿１４を搬送し（Ｓ１）、リニアイメージセンサ２で画像を読取り、バッファメモリ６に格納する（Ｓ２）。続いて、ＣＰＵ１１は第１のバッファメモリ６の画像データを濃度データ変換回路１６により色データに変換し、第２のバッファメモリ７に格納する（Ｓ３）、その変換された画像データを表示メモリ８に転送する（Ｓ４）。使用者は、予め濃度データに対する色データを濃度データ変換回路１６に設定することができる。
表示メモリ８に転送されたデータはビデオ信号発生器９でビデオ信号に変換されて、逐次、表示装置１３に出力され表示される。
【００１３】
図３は、濃度データ変換回路１６をデュアルポートＲＡＭで構成した例である。
１７は、デュアルポートＲＡＭで、濃度データ入力がデュアルポートＲＡＭ１７のアドレスに入力される。このアドレスに色データを格納しておくことで色データが出力される。
濃度データ入力は、読取り階調が８ビットの場合、２５６段階の値を持つ。この２５６段階のデータを１６段階へ変換し出力する場合、濃度データ入力をアドレスとして選択されるデュアルポートＲＡＭ１７の位置に色データを格納しておく。
１６段階に変換する場合、２５６段階を等分して１６段階にすることも、非線形に段階分けすることも出来るようにしても良い。
【００１４】
２５６段階を１６段階に等分して変換するには、デュアルポートＲＡＭ１７のアドレス０から１５、１６から３１、のように１６等分したアドレス位置に色データを格納しておくことで変換される。
また、デュアルポートＲＡＭ１７は、ＣＰＵ１１から任意の値を設定出来るようにもう一方のポートをＣＰＵ１１に接続する。
このようにして、入力された濃度データが色データに変換される。
【００１５】
上記実施例の構成では、濃度データ変換回路１６を設けたが、この回路をソフトウェアで実現することもできる。
本実施例によると、読取る原稿側で特に何かする必要がなく、モノクロ印刷されたカラー原稿の濃度データから１６色等の色データに変換することにより、カラー化して表示することができる。また、変換する色データを予め設定しておくことで、好みの合った色を使用することができる。これらにより、例えば一度モノクロ原稿に変換されたカラー原稿を、再度カラー表示することも容易となる。
【図面の簡単な説明】
【００１６】
【図１】本発明の実施例における原稿撮像装置のブロック図である。
【図２】本発明の実施例の原稿撮像装置における処理手順を示す流れ図である。
【図３】本発明の実施例の原稿撮像装置における濃度データ変換回路を示す図である。
【符号の説明】
【００１７】
１：原稿撮像装置
２：リニアイメージセンサ
３：原稿位置検出器
４：原稿駆動機構
５：Ａ／Ｄコンバータ
６：第１のバッファメモリ
７：第２のバッファメモリ
８：表示メモリ
９：ビデオ信号発生器
１０：表示装置情報読み出し器
１１：ＣＰＵ
１２：ＲＯＭ
１３：表示装置
１４：原稿
１５：モータ駆動回路
１６：濃度データ変換回路
１７：デュアルポートＲＡＭ
【図１】
2005269316.tif 000003
【図２】
2005269316.tif 000004
【図３】
2005269316.tif 000005